(57)【要約】      （修正有）【課題】廃トナー収容部の大容量化を図ることなく、現像カートリッジ内に収容されるトナー量の最大化を図ることができるプロセスカートリッジを提供する。【解決手段】プロセスカートリッジは、感光ドラム４と、クリーナと、搬送管１３とを備えるドラムカートリッジ２と、現像ローラ５と、トナー収容部と、廃トナー収容部３１とを備える現像カートリッジ３とを備える。廃トナー収容部３１は、突出部３２を備える。また、ドラムカートリッジ２は、現像カートリッジ３がドラムカートリッジ２に装着されるときに、突出部３２を案内するガイド部１４を備える。ガイド部１４は、現像ローラ５から感光ドラム４に向かう方向とは異なる方向に延びる第１ガイド１４Ａと、第１ガイド１４Ａと連続し、第１ガイド１４Ａよりも感光ドラム４の近くに位置し、現像ローラ５から感光ドラム４に向かう方向に延びる第２ガイド１４Ｂとを有する。【選択図】図９
2018055066.tif 000002
【特許請求の範囲】
【請求項１】
第１方向に延びる第１軸について回転可能な感光ドラムと、前記感光ドラムの周面からトナーを除去するためのクリーナと、前記クリーナによって除去されたトナーを搬送するための搬送管と、を備えるドラムカートリッジと、
前記ドラムカートリッジに対して着脱可能な現像カートリッジであって、前記第１方向に延びる第２軸について回転可能な現像ローラであって、前記現像カートリッジが前記ドラムカートリッジに装着されたときに、前記感光ドラムに近接する現像ローラと、前記現像ローラによって前記感光ドラムに供給されるトナーを収容可能なトナー収容部と、前記搬送管内を搬送されたトナーを収容可能な廃トナー収容部であって、前記第１方向に突出する突出部を備える廃トナー収容部と、を備える現像カートリッジと、
を備え、
前記ドラムカートリッジは、前記現像カートリッジが前記ドラムカートリッジに装着されるときに、前記廃トナー収容部の前記突出部を案内するガイド部であって、
前記現像ローラから前記感光ドラムに向かう第２方向とは異なる方向である第３方向に延びる第１ガイドと、
前記第１ガイドと連続し、前記第１ガイドよりも前記感光ドラムの近くに位置し、前記第２方向に延びる第２ガイドと、
を有するガイド部を備えることを特徴とする、プロセスカートリッジ。
【請求項２】
前記廃トナー収容部の前記突出部は、前記現像カートリッジが前記ドラムカートリッジに装着されたときに、前記搬送管内を搬送されたトナーを前記廃トナー収容部内に受け入れるための受入口を有することを特徴とする、請求項１に記載のプロセスカートリッジ。
【請求項３】
前記第２ガイドは、湾曲していることを特徴とする、請求項１または請求項２に記載のプロセスカートリッジ。
【請求項４】
前記第２ガイドは、前記第２方向に沿って直線状に延びることを特徴とする、請求項１または請求項２に記載のプロセスカートリッジ。
【請求項５】
前記搬送管は、前記搬送管内を搬送されたトナーを前記搬送管から排出するための排出口を有し、
前記第１ガイドは、前記第２方向において前記排出口に対して前記感光ドラムの反対側に位置し、
前記第２ガイドは、前記第３方向において前記排出口と並ぶことを特徴とする、請求項１から４のいずれか一項に記載のプロセスカートリッジ。
【請求項６】
前記ドラムカートリッジは、
前記現像カートリッジが前記ドラムカートリッジに装着されたときに、前記第２方向において、前記廃トナー収容部に対して前記感光ドラムの反対側に位置する第１接触部であって、前記現像カートリッジが前記ドラムカートリッジに装着されたときに、前記第２方向において、前記廃トナー収容部と接触する第１接触部と、
前記現像カートリッジが前記ドラムカートリッジに装着されたときに、前記第２方向において、前記廃トナー収容部と前記感光ドラムとの間に位置する第２接触部であって、前記現像カートリッジが前記ドラムカートリッジに装着されたときに、前記第２方向において、前記廃トナー収容部と接触する第２接触部と
を備えることを特徴とする、請求項１から請求項５のいずれか一項に記載のプロセスカートリッジ。
【請求項７】
前記搬送管は、前記搬送管内を搬送されたトナーを前記搬送管から排出するための排出口を有し、
前記廃トナー収容部の前記突出部は、前記現像カートリッジが前記ドラムカートリッジに装着されたときに、前記搬送管内を搬送されたトナーを前記廃トナー収容部内に受け入れるための受入口を有し、
前記ドラムカートリッジは、前記排出口を閉鎖する閉位置と、前記排出口を開放する開位置との間を移動可能な第１シャッタであって、前記現像カートリッジが前記ドラムカートリッジに装着されるときに、前記現像カートリッジの一部と接触した状態で、前記閉位置から前記開位置へ移動する第１シャッタを備え、
前記現像カートリッジは、前記受入口を閉鎖する閉位置と、前記受入口を開放する開位置との間を移動可能な第２シャッタであって、前記現像カートリッジが前記ドラムカートリッジに装着されるときに、前記ドラムカートリッジの一部と接触した状態で、前記閉位置から前記開位置へ移動する第２シャッタを備えることを特徴とする、請求項１から請求項６のいずれか一項に記載のプロセスカートリッジ。
【請求項８】
前記現像カートリッジが前記ドラムカートリッジに装着されるときに、
前記第１シャッタは、前記第１シャッタが前記現像カートリッジの一部と接触した状態で、前記廃トナー収容部の前記突出部が前記ガイド部によって案内されることにより、前記閉位置から前記開位置へ移動し、
前記第２シャッタは、前記第２シャッタが前記ドラムカートリッジの一部と接触した状態で、前記廃トナー収容部の前記突出部が前記ガイド部によって案内されることにより、前記閉位置から前記開位置へ移動することを特徴とする、請求項７に記載のプロセスカートリッジ。
【請求項９】
前記第１シャッタは、前記現像カートリッジが前記ドラムカートリッジに装着されるときに前記第２シャッタに接触する第１突起を備え、前記現像カートリッジが前記ドラムカートリッジに装着されるときに、前記第１突起が前記第２シャッタに接触した状態で、前記閉位置から前記開位置へ移動し、
前記第２シャッタは、前記現像カートリッジが前記ドラムカートリッジに装着されるときに前記第１シャッタに接触する第２突起を備え、前記現像カートリッジが前記ドラムカートリッジに装着されるときに、前記第２突起が前記第１シャッタに接触した状態で、前記閉位置から前記開位置へ移動することを特徴とする、請求項７または請求項８に記載のプロセスカートリッジ。
【請求項１０】
前記第１シャッタは、前記第１シャッタが開位置に位置するときに、前記排出口と重なり、前記第１シャッタが閉位置に位置するときに、前記排出口と重ならない第１シャッタ開口を有し、
前記第２シャッタは、前記第２シャッタが開位置に位置するときに、前記受入口と重なり、前記第２シャッタが閉位置に位置するときに、前記受入口と重ならない第２シャッタ開口を有し、
前記第１突起が前記第２シャッタに接触し、前記第２突起が前記第１シャッタに接触した状態で、前記第１シャッタ開口と前記第２シャッタ開口とが重なることを特徴とする、請求項９に記載のプロセスカートリッジ。
【請求項１１】
前記ドラムカートリッジは、前記現像カートリッジが前記ドラムカートリッジに装着されるときに、前記現像ローラのシャフトを、前記第２方向に案内するように構成されるローラガイド部を備えることを特徴とする、請求項１から請求項１０のいずれか一項に記載のプロセスカートリッジ。
【請求項１２】
前記ローラガイド部は、前記第２方向に延び、一端部と、前記第２方向において前記一端部から離れた他端部であって、前記第２方向において前記一端部に対して前記感光ドラムの近くに位置する他端部とを備え、
前記廃トナー収容部の前記突出部が前記ガイド部によって前記第３方向に案内されるときに、前記シャフトは、前記一端部と前記他端部との間において前記ローラガイド部に接触し、前記廃トナー収容部の前記突出部が前記ガイド部によって前記第２方向に案内されるときに、前記シャフトは、前記ローラガイド部によって前記第２方向に案内されることを特徴とする、請求項１１に記載のプロセスカートリッジ。
【発明の詳細な説明】
【技術分野】
【０００１】
本発明は、プロセスカートリッジに関する。
【背景技術】
【０００２】
従来より、プロセスカートリッジは、画像形成装置に装着される。
【０００３】
例えば、特許文献１に開示されるように、プロセスカートリッジは、感光ドラムと、現像カートリッジとを備える。現像カートリッジは、現像ローラを有する。また、プロセスカートリッジは、さらに、廃トナー収容部を備える。廃トナー収容部は、感光ドラムの表面から除去されたトナーを収容する。また、画像形成装置は、定着器を備える。プロセスカートリッジが画像形成装置に装着されたときに、定着器は、感光ドラムに対して、廃トナー収容部の反対側に位置する。
【先行技術文献】
【特許文献】
【０００４】
【特許文献１】米国特許出願公開ＵＳ２０１２／００３９６２２Ａ１
【発明の概要】
【発明が解決しようとする課題】
【０００５】
現像カートリッジ内に収容されるトナー量を最大化したいという要望がある。
【０００６】
ここで、現像カートリッジ内に収容されるトナー量の最大化しようとすると、現像カートリッジ内に収容されるトナー量の増加に対応して、廃トナー収容部を大容量化する必要がある。
【０００７】
しかし、感光ドラムの近くのスペースが制限され、廃トナー収容部を大容量化することが困難な場合がある。例えば、特許文献１に記載のプロセスカートリッジでは、廃トナー収容部は、プロセスカートリッジが画像形成装置に装着されたときに、感光ドラムと定着器との間に位置する。そのため、定着器との干渉を避けることを考慮すると、感光ドラムの近くのスペースが制限され、廃トナー収容部を大容量化することなく、現像カートリッジ内に収容されるトナー量の最大化を図ることが困難になる。
【０００８】
そこで、本開示の目的は、廃トナー収容部の大容量化することなく、現像カートリッジ内に収容されるトナー量の最大化を図ることができるプロセスカートリッジを提供することにある。
【課題を解決するための手段】
【０００９】
本開示のプロセスカートリッジは、ドラムカートリッジと、現像カートリッジとを備える。ドラムカートリッジは、感光ドラムと、クリーナと、搬送管とを備える。感光ドラムは、第１方向に延びる第１軸について回転可能である。クリーナは、感光ドラムの周面からトナーを除去する。搬送管は、クリーナによって除去されたトナーを搬送する。現像カートリッジは、ドラムカートリッジに対して着脱可能である。現像カートリッジは、現像ローラと、トナー収容部と、廃トナー収容部とを備える。現像ローラは、第１方向に延びる第２軸について回転可能である。現像ローラは、現像カートリッジがドラムカートリッジに装着されたときに、感光ドラムに近接する。トナー収容部は、現像ローラによって感光ドラムに供給されるトナーを収容可能である。廃トナー収容部は、搬送管内を搬送されたトナーを収容可能である。廃トナー収容部は、第１方向に突出する突出部を備える。
【００１０】
また、ドラムカートリッジは、ガイド部を備える。ガイド部は、現像カートリッジがドラムカートリッジに装着されるときに、廃トナー収容部の突出部を案内する。ガイド部は、第１ガイドと、第２ガイドとを有する。第１ガイドは、現像ローラから感光ドラムに向かう第２方向とは異なる方向である第３方向に延びる。第２ガイドは、第１ガイドと連続する。第２ガイドは、第１ガイドよりも感光ドラムの近くに位置する。第２ガイドは、第２方向に延びる。
【００１１】
このような構成によれば、クリーナによって感光ドラムの周面から除去されたトナーを、搬送管を介して、現像カートリッジの廃トナー収容部に収容することができる。
【００１２】
そのため、廃トナー収容部を備えつつ、感光ドラムの近くのスペースが制限される場合であっても、現像カートリッジの近くのスペースを利用することができる。
【００１３】
また、廃トナー収容部が現像カートリッジに設けられているので、廃トナー収容部を現像カートリッジと一緒に交換することができ、廃トナー収容部の大容量化することなく、現像カートリッジ内に収容されるトナー量の最大化を図ること。
【００１４】
また、現像カートリッジがドラムカートリッジに装着されるときに、廃トナー収容部の突出部は、第１ガイドによって、現像ローラから感光ドラムに向かう第２方向とは異なる方向である第３方向に案内された後、第２ガイドによって、感光ドラムに向かって第２方向に案内される。
【００１５】
これにより、現像カートリッジに廃トナー収容部が設けられる構成において、廃トナー収容部の突出部を利用して、現像カートリッジをドラムカートリッジに円滑に装着することができる。
【発明の効果】
【００１６】
本開示のプロセスカートリッジは、廃トナー収容部の大容量化することなく、現像カートリッジ内に収容されるトナー量の最大化を図ることができる。
【図面の簡単な説明】
【００１７】
【図１】図１は、画像形成装置の概略構成図である。
【図２】図２は、第１実施形態のプロセスカートリッジの概略構成図である。
【図３】図３は、図２に示すドラムカートリッジの平面図である。
【図４】図４は、図３のＡ−Ａ断面図である。
【図５】図５は、図３のＢ−Ｂ断面図である。
【図６】図６は、図２に示す現像カートリッジの側面図である。
【図７】図７は、図６に示す現像カートリッジの平面図である。
【図８】図８は、第１実施形態において、ドラムカートリッジに対する現像カートリッジの装着を説明する説明図であって、廃トナー収容部の突出部が第１ガイドによって案内されている状態を示す。
【図９】図９は、図８に続き、ドラムカートリッジに対する現像カートリッジの装着を説明する説明図であって、ドラムカートリッジに対する現像カートリッジの装着が完了した状態を示す。
【図１０】図１０は、第２実施形態のプロセスカートリッジの概略構成図である。
【図１１】図１１は、図１０に示すドラムカートリッジを説明するための説明図であって、搬送管の他端部と、ガイド部と、ローラガイド部とを説明する説明図である。
【図１２】図１２は、図１０に示す現像カートリッジの側面図である。
【図１３】図１３は、第２実施形態において、ドラムカートリッジに対する現像カートリッジの装着を説明する説明図であって、廃トナー収容部の突出部が第１ガイドによって案内されている状態を示す。なお、突出部のＣ−Ｃ断面図も示す。
【図１４】図１４は、図１３に続き、ドラムカートリッジに対する現像カートリッジの装着を説明する説明図であって、廃トナー収容部の突出部が第２ガイドによって案内されている状態を示す。
【図１５】図１５は、図１４に続き、ドラムカートリッジに対する現像カートリッジの装着を説明する説明図であって、ドラムカートリッジに対する現像カートリッジの装着が完了した状態を示す。
【発明を実施するための形態】
【００１８】
［第１実施形態］
１．プロセスカートリッジの概略
図１および図２を参照して、第１実施形態のプロセスカートリッジ１の概略について説明する。
【００１９】
図１に示すように、プロセスカートリッジ１は、画像形成装置１００の側面の開口１０３を閉鎖するように設けたカバー１０４を開放した状態で、画像形成装置１００に対して着脱可能である。プロセスカートリッジ１は、画像形成装置１００に装着されている状態で、感光ドラム４の表面にトナー像を形成するように構成される。なお、画像形成装置１００は、露光ユニット１０５と、転写ローラ１０１と、定着器１０２とを備える。露光ユニット１０５は、感光ドラム４の表面を露光するように構成される。転写ローラ１０１は、感光ドラム４の周面に形成されたトナー像を用紙に転写するように構成される。転写ローラ１０１は、感光ドラム４の周面に接触する。定着器１０２は、トナー像が転写された用紙を加熱および加圧して、用紙にトナー像を定着させるように構成される。図２に示すように、プロセスカートリッジ１は、ドラムカートリッジ２と、現像カートリッジ３とを備える。
【００２０】
１．１  ドラムカートリッジ
ドラムカートリッジ２は、帯電ローラ８と、感光ドラム４と、用紙搬送ローラ９とを備える。
【００２１】
帯電ローラ８は、感光ドラム４の表面を帯電するように構成される。帯電ローラ８は、感光ドラム４の表面に接触する。
【００２２】
感光ドラム４は、第１方向に延びる第１軸Ａ１について回転可能である。感光ドラム４は、第１軸Ａ１に沿って延びる。なお、第１軸Ａ１は、仮想の軸である。より詳細には、第１軸Ａ１は、感光ドラム４が延びる方向に沿って延びる仮想の軸である。感光ドラム４の表面には、静電潜像が形成される。詳しくは、帯電ローラ８によって一様に帯電された感光ドラム４の表面を、露光ユニット１０５（図１参照）が露光することにより、感光ドラム４の表面に静電潜像が形成される。感光ドラム４は、プロセスカートリッジ１が画像形成装置１００に装着されたときに、定着器１０２（図１参照）に対して間隔を隔てる。
【００２３】
用紙搬送ローラ９は、第１方向に延びる軸について回転可能である。用紙搬送ローラ９は、従動ローラであり、画像形成装置１００に設けられた駆動ローラ１０６（図１参照）と対となり、用紙を搬送する。
【００２４】
１．２  現像カートリッジ
現像カートリッジ３は、感光ドラム４にトナーを供給することにより、感光ドラム４の周面の静電潜像を現像するように構成される。現像カートリッジ３は、プロセスカートリッジ１が画像形成装置１００に装着されたときに、感光ドラム４に対して、定着器１０２（図１参照）の反対側に位置する。現像カートリッジ３は、ドラムカートリッジ２に対して着脱可能である。現像カートリッジ３は、現像ローラ５と、筐体６と、供給ローラ１０とを備える。
【００２５】
現像ローラ５は、第１方向に延びる第２軸Ａ２について回転可能である。現像ローラ５は、現像カートリッジ３がドラムカートリッジ２に装着されたときに、感光ドラム４に近接する。現像ローラ５は、第２軸Ａ２に沿って延びる。なお、第２軸Ａ２は、仮想の軸である。より詳細には、第２軸Ａ２は、現像ローラ５が延びる方向に沿って延びる仮想の軸である。
【００２６】
筐体６は、トナー収容部７を備える。すなわち、現像カートリッジ３は、トナー収容部７を備える。トナー収容部７は、現像カートリッジ３がドラムカートリッジ２に装着されたときに、現像ローラ５から感光ドラム４に向かう第２方向において、現像ローラ５に対して、感光ドラム４の反対側に位置する。第２方向は、第１方向と交差する。好ましくは、第２方向は、第１方向と直交する。トナー収容部７は、内部にトナーを収容可能である。トナー収容部７内のトナーは、現像ローラ５によって感光ドラム４に供給される。
【００２７】
供給ローラ１０は、現像ローラ５と接触し、回転可能である。供給ローラ１０は、現像ローラ５にトナーを供給する。
【００２８】
２．ドラムカートリッジの詳細
図２から図５を参照して、ドラムカートリッジ２の詳細について説明する。
【００２９】
ドラムカートリッジ２は、図２および図３に示すように、トレイ形状を有する。詳しくは、ドラムカートリッジ２は、第１壁２Ａと、第２壁２Ｂと、連結壁２Ｃとを備える。
【００３０】
第１壁２Ａと第２壁２Ｂとは、第１方向において、互いに間隔を隔てる。第１壁２Ａおよび第２壁２Ｂは、それぞれ、現像カートリッジ３がドラムカートリッジ２に装着された状態で、第２方向に延びる。第１方向において、第１壁２Ａと第２壁２Ｂとの間には、感光ドラム４が位置する。感光ドラム４は、シャフト４Ａを介して、第１壁２Ａと第２壁２Ｂとに支持される。シャフト４Ａは、第１軸Ａ１に沿って延びる。
【００３１】
連結壁２Ｃは、第１方向において、第１壁２Ａと第２壁２Ｂとの間に位置する。連結壁２Ｃは、第１方向に延びる。第１方向における連結壁２Ｃの一端は、第１壁２Ａに連結する。第１方向における連結壁２Ｃの他端は、第２壁２Ｂに連結する。
【００３２】
ドラムカートリッジ２は、さらに、クリーナ１２と、搬送管１３と、ガイド部１４（図５参照）と、ローラガイド部１５（図５参照）と、第１接触部１６と、第２接触部１７とを備える。
【００３３】
２．１  クリーナ
図２に示すように、クリーナ１２は、感光ドラム４の周面からトナーを除去し、除去したトナーを内部に溜めるように構成される。クリーナ１２は、現像カートリッジ３がドラムカートリッジ２に装着されたときに、第２方向において、感光ドラム４に対して現像カートリッジ３の反対側に位置する。詳しくは、クリーナ１２は、クリーニング部材１２Ａと、クリーナフレーム１２Ｂとを備える。
【００３４】
クリーニング部材１２Ａは、感光ドラム４の周面からトナーを除去するための部材である。クリーニング部材１２Ａは、板形状を有する。クリーニング部材１２Ａは、第１方向に延びる。クリーニング部材１２Ａは、クリーナフレーム１２Ｂに取り付けられる。クリーニング部材１２Ａのエッジは、感光ドラム４の周面に接触する。これにより、クリーニング部材１２Ａは、感光ドラム４が回転したときに、感光ドラム４の周面からトナーを除去する。
【００３５】
クリーナフレーム１２Ｂは、クリーニング部材１２Ａが除去したトナーを内部に溜めるように構成される。クリーナフレーム１２Ｂは、第１方向に延びる。クリーナフレーム１２Ｂは、開口１２Ｃを有する。開口１２Ｃは、クリーニング部材１２Ａのエッジに向かい合う。開口１２Ｃは、第１方向に延びる。クリーニング部材１２Ａが除去したトナーは、開口１２Ｃを介して、クリーナフレーム１２Ｂの内部に溜まる。
【００３６】
２．２  搬送管
図３および図４に示すように、搬送管１３は、クリーナ１２によって除去されたトナーを搬送するための管である。
【００３７】
詳しくは、搬送管１３は、第１壁２Ａに取り付けられる。搬送管１３は、第１方向において、第１壁２Ａに対して、第２壁２Ｂの反対側に位置する。言い換えると、搬送管１３は、第１壁２Ａの外側に位置する。これにより、搬送管１３は、現像カートリッジ３がドラムカートリッジ２に装着されたときに、第１方向において、第１壁２Ａに対して、トナー収容部７の反対側に位置する。
【００３８】
また、搬送管１３は、第１壁２Ａの外面に沿って、第２方向に延びる。第２方向における搬送管１３の一端部１３Ａは、クリーナ１２に接続する。第２方向における搬送管１３の他端部１３Ｂは、第１方向において、第１壁２Ａと第２壁２Ｂとの間に位置する。言い換えると、他端部１３Ｂは、第１壁２Ａの内側に位置する。詳しくは、他端部１３Ｂは、第１壁２Ａの内面に位置する。他端部１３Ｂは、現像カートリッジ３がドラムカートリッジ２に装着されたときに、第１方向において、後述する廃トナー収容部３１の外表面３１Ａと、第１壁２Ａとの間に位置する。他端部１３Ｂは、現像カートリッジ３がドラムカートリッジ２に装着されたときに、後述する廃トナー収容部３１（図９参照）に接続する。他端部１３Ｂは、第１方向に延びる。他端部１３Ｂは、円筒形状を有する。
【００３９】
また、搬送管１３の内部、および、クリーナ１２の内部には、搬送部材１８が設けられている。すなわち、ドラムカートリッジ２は、さらに、搬送部材１８を備える。搬送部材１８は、トナーを搬送するように構成される。具体的には、搬送部材１８は、クリーナ１２内において第１方向に延び、搬送管１３内において第２方向に延びる。搬送部材１８は、螺旋形状を有する。搬送部材１８は、プロセスカートリッジ１が画像形成装置１００（図１参照）に装着され、画像形成動作が実行されたときに、回転することにより、クリーナ１２内のトナーを搬送管１３に向かって搬送するとともに、搬送管１３内のトナーを廃トナー収容部３１に向かって搬送する。これにより、クリーナ１２によって除去され、クリーナ１２の内部に溜まったトナーは、搬送管１３内を、廃トナー収容部３１に向かって搬送される。
【００４０】
また、搬送管１３は、図５に示すように、排出口１３Ｃを有する。また、搬送管１３は、第１シャッタ１９を備える。すなわち、ドラムカートリッジ２は、第１シャッタ１９を備える。
【００４１】
排出口１３Ｃは、搬送管１３内を搬送されたトナーを搬送管１３から排出するための開口である。排出口１３Ｃは、搬送管１３の他端部１３Ｂに位置する。排出口１３Ｃは、プロセスカートリッジ１が画像形成装置１００に装着されたときに、搬送部材１８に対して下方に位置する。
【００４２】
第１シャッタ１９は、排出口１３Ｃを閉鎖する閉位置（図５参照）と、排出口１３Ｃを開放する開位置（図９参照）との間を移動可能である。詳しくは、第１シャッタ１９は、搬送管１３の他端部１３Ｂに取り付けられる。第１シャッタ１９は、他端部１３Ｂの周面を覆う。第１シャッタ１９は、他端部１３Ｂについて、開位置と閉位置との間を回動可能である。なお、第１シャッタ１９は、ばね２０によって、閉位置に向かって押圧されている。これにより、第１シャッタ１９は、現像カートリッジ３がドラムカートリッジ２から離脱されているときに、閉位置に位置する。第１シャッタ１９は、本体部１９Ａと、第１突起１９Ｂとを備える。
【００４３】
本体部１９Ａは、搬送管１３の周面を覆う部分である。本体部１９Ａは、第１方向に延びる。本体部１９Ａは、円筒形状を有する。本体部１９Ａは、第１シャッタ開口１９Ｃを有する。すなわち、第１シャッタ１９は、第１シャッタ開口１９Ｃを有する。第１シャッタ開口１９Ｃは、本体部１９Ａの周面に設けられている。第１シャッタ開口１９Ｃの少なくとも一部は、第１シャッタ１９が開位置に位置するときに、排出口１３Ｃと重なる。また、第１シャッタ開口１９Ｃは、第１シャッタ１９が閉位置に位置するときに、排出口１３Ｃと重ならない。
【００４４】
第１突起１９Ｂは、現像カートリッジ３がドラムカートリッジ２に装着されるときに、後述する第２シャッタ３３の本体部３３Ａ（図８参照）に接触する突起である。第１突起１９Ｂは、本体部１９Ａの径方向において、本体部１９Ａの周面から突出する。
【００４５】
図８に示すように、現像カートリッジ３がドラムカートリッジ２に装着されるときに、後述する廃トナー収容部３１の突出部３２が、搬送管１３の他端部１３Ｂと、後述する第１ガイド１４Ａとの間に位置する場合、第１突起１９Ｂは、第２シャッタ３３の本体部３３Ａに接触する。このとき、第１シャッタ開口１９Ｃは、後述する第２シャッタ開口３３Ｃと重なる。すなわち、第１突起１９Ｂが第２シャッタ３３に接触した状態で、第１シャッタ開口１９Ｃと第２シャッタ開口３３Ｃとが重なる。言い換えると、第１シャッタ開口１９Ｃと、第２シャッタ開口３３Ｃとが連通する。
【００４６】
そして、図９に示すように、第１シャッタ１９は、現像カートリッジ３がドラムカートリッジ２に装着されるときに、現像カートリッジ３の一部と接触した状態で、閉位置から開位置へ移動する。具体的には、第１シャッタ１９は、現像カートリッジ３がドラムカートリッジ２に装着されるときに、第１突起１９Ｂが第２シャッタ３３の本体部３３Ａに接触した状態で、閉位置から開位置へ移動する。また、第１シャッタ１９は、現像カートリッジ３がドラムカートリッジ２に装着されるときに、第１シャッタ１９が現像カートリッジ３の一部と接触した状態で、突出部３２がガイド部１４によって案内されることにより、閉位置から開位置へ移動する。詳しくは、現像カートリッジ３がドラムカートリッジ２に装着されるときに、後述する突出部３２は、後述する第２ガイド１４Ｂによって第２方向において感光ドラム４に近づく方向に案内される。すると、第１突起１９Ｂは、第２シャッタ３３の本体部３３Ａによって押圧される。これにより、第１シャッタ１９は、閉位置から開位置へ移動する。第１シャッタ１９は、現像カートリッジ３がドラムカートリッジ２に装着されたときに、開位置に位置する。
【００４７】
２．３  ガイド部
ガイド部１４は、現像カートリッジ３がドラムカートリッジ２に装着されるときに、廃トナー収容部３１の突出部３２（図８参照）を案内するための部分である。ガイド部１４は、図３および図５に示すように、第１壁２Ａの内面に設けられる。ガイド部１４は、第１方向において、第１壁２Ａの内面から突出する。ガイド部１４は、第１シャッタ１９の回動方向に延びる。ガイド部１４は、第１ガイド１４Ａと、第２ガイド１４Ｂとを有する。
【００４８】
第１ガイド１４Ａは、第２方向において、搬送管１３の他端部１３Ｂに対して、感光ドラム４の反対側に位置する。すなわち、第１ガイド１４Ａは、第２方向において、排出口１３Ｃに対して、感光ドラム４の反対側に位置する。第１ガイド１４Ａは、第２方向において、搬送管１３の他端部１３Ｂおよび第１シャッタ１９に対して、間隔を隔てる。第１ガイド１４Ａは、第２方向とは異なる方向である第３方向に延びる。第３方向は、第１方向および第２方向と交差する。好ましくは、第３方向は、第１方向と直交し、第２方向と交差する。
【００４９】
第２ガイド１４Ｂは、第３方向において、搬送管１３の他端部１３Ｂと連結壁２Ｃとの間に位置する。第２ガイド１４Ｂは、第３方向において、排出口１３Ｃと並ぶ。第２ガイド１４Ｂは、第３方向において、搬送管１３の他端部１３Ｂおよび第１シャッタ１９に対して、間隔を隔てる。また、第２ガイド１４Ｂは、第３方向において、第１ガイド１４Ａと連結壁２Ｃとの間に位置する。言い換えると、第２ガイド１４Ｂは、第３方向において、第１ガイド１４Ａよりも連結壁２Ｃの近くに位置する。また、第２ガイド１４Ｂは、第２方向において、第１ガイド１４Ａよりも感光ドラム４の近くに位置する。第２ガイド１４Ｂは、第１ガイド１４Ａと連続する。第２ガイド１４Ｂは、第２方向に延びる。第２ガイド１４Ｂは、湾曲している。詳しくは、第２ガイド１４Ｂは、第３方向において連結壁２Ｃへ向かう方向から、第２方向において感光ドラム４へ向かう方向へ湾曲している。これにより、図８および図９に示すように、廃トナー収容部３１の突出部３２は、現像カートリッジ３がドラムカートリッジ２に装着されるときに、まず、第１ガイド１４Ａによって、第３方向において連結壁２Ｃに近づく方向に案内される。次いで、廃トナー収容部３１の突出部３２は、第２ガイド１４Ｂによって、第２方向において感光ドラム４に近づく方向に案内される。詳しくは、廃トナー収容部３１の突出部３２は、第２ガイド１４Ｂによって、第３方向において連結壁２Ｃへ向かう方向から、第２方向において感光ドラム４へ向かう方向へ方向転換されつつ、第２方向において感光ドラム４に近づく方向に案内される。
【００５０】
２．４  ローラガイド部
図５に示すように、ローラガイド部１５は、現像カートリッジ３がドラムカートリッジ２に装着されるときに、現像ローラ５のシャフト５Ａ（図６参照）を、第２方向において感光ドラム４に近づく方向に案内する。なお、シャフト５Ａは、第１方向に延びる。シャフト５Ａは、第１方向において、一端部と他端部とを有する。ローラガイド部１５は、第１壁２Ａおよび第２壁２Ｂのそれぞれに設けられる。第１壁２Ａのローラガイド部１５は、現像カートリッジ３がドラムカートリッジ２に装着されるときに、第１方向におけるシャフト５Ａの一端部を案内する。第２壁２Ｂのローラガイド部１５は、現像カートリッジ３がドラムカートリッジ２に装着されるときに、第１方向におけるシャフト５Ａの他端部を案内する。ローラガイド部１５は、第２方向において、感光ドラム４とガイド部１４との間に位置する。ローラガイド部１５は、第２方向に延びる。ローラガイド部１５は、第２方向において、一端部１５Ａと、他端部１５Ｂとを備える。他端部１５Ｂは、第２方向において一端部１５Ａから離れている。他端部１５Ｂは、第２方向において、一端部１５Ａに対して感光ドラム４の近くに位置する。
【００５１】
図８に示すように、現像カートリッジ３がドラムカートリッジ２に装着されるときに、廃トナー収容部３１の突出部３２が搬送管１３の他端部１３Ｂと第１ガイド１４Ａとの間に位置する場合、現像ローラ５のシャフト５Ａは、一端部１５Ａと他端部１５Ｂとの間において、ローラガイド部１５に接触する。すなわち、突出部３２がガイド部１４によって第３方向に案内されるときに、シャフト５Ａは、一端部１５Ａと他端部１５Ｂとの間において、ローラガイド部１５に接触する。
【００５２】
そして、図９に示すように、現像カートリッジ３がドラムカートリッジ２に装着されるときに、廃トナー収容部３１の突出部３２が、第２ガイド１４Ｂによって、第２方向において感光ドラム４に近づく方向に案内されるにつれて、現像ローラ５のシャフト５Ａは、ローラガイド部１５によって、第２方向において感光ドラム４に近づく方向に案内される。すなわち、突出部３２が、ガイド部１４によって、第２方向において感光ドラム４に近づく方向に案内されるときに、シャフト５Ａは、ローラガイド部１５によって、第２方向において感光ドラム４に近づく方向に案内される。
【００５３】
２．５  第１接触部および第２接触部
図２に示すように、第１接触部１６および第２接触部１７は、廃トナー収容部３１をドラムカートリッジ２に対して位置決めするための部分である。
【００５４】
第１接触部１６は、現像カートリッジ３がドラムカートリッジ２に装着されたときに、第２方向において、廃トナー収容部３１と接触するように構成される。第１接触部１６は、現像カートリッジ３がドラムカートリッジ２に装着されたときに、第２方向において、廃トナー収容部３１に対して感光ドラム４の反対側に位置する。詳しくは、第１接触部１６は、現像カートリッジ３がドラムカートリッジ２に装着されたときに、第２方向において、後述するハンドル３４の接触部３４Ａと接触するように構成される。
【００５５】
第２接触部１７は、現像カートリッジ３がドラムカートリッジ２に装着されたときに、第２方向において、廃トナー収容部３１と接触するように構成される。第２接触部１７は、現像カートリッジ３がドラムカートリッジ２に装着されたときに、第２方向において、廃トナー収容部３１と感光ドラム４との間に位置する。詳しくは、第２接触部１７は、現像カートリッジ３がドラムカートリッジ２に装着されたときに、第２方向において、廃トナー収容部３１とトナー収容部７との間に位置する。第２接触部１７は、第３方向に延びる。第２接触部１７は、板形状を有する。第２接触部１７は、連結壁２Ｃから延びる。
【００５６】
現像カートリッジ３がドラムカートリッジ２に装着されたときに、廃トナー収容部３１は、第１接触部１６と第２接触部１７とに接触することにより、第２方向において、ドラムカートリッジ２に対して位置決めされる。
【００５７】
３．現像カートリッジの詳細
図６および図７を参照して、現像カートリッジ３の詳細について説明する。
【００５８】
図６および図７に示すように、現像カートリッジ３は、さらに、廃トナー収容部３１を備える。
【００５９】
３．１  廃トナー収容部
廃トナー収容部３１は、搬送管１３（図３参照）内を搬送されたトナーを収容可能である。言い換えると、廃トナー収容部３１は、クリーナ１２によって感光ドラム４の周面から除去されたトナーを収容可能である。廃トナー収容部３１は、第２方向において、トナー収容部７に対して、現像ローラ５の反対側に位置する。すなわち、図２に示すように、廃トナー収容部３１は、現像カートリッジ３がドラムカートリッジ２に装着されたときに、第２方向において、トナー収容部７に対して、感光ドラム４の反対側に位置する。また、図１に示すように、廃トナー収容部３１は、プロセスカートリッジ１が画像形成装置１００に装着されたときに、感光ドラム４に対して、定着器１０２の反対側に位置する。図６および図７に示すように、廃トナー収容部３１は、筐体６のトナー収容部７に取り付けられる。廃トナー収容部３１は、トナー収容部７に対して、第２方向に移動可能である。詳しくは、図２に示すように、現像カートリッジ３は、２つの保持部６１を有する。なお、２つの保持部６１は、互いに第１方向に間隔を隔てている。２つの保持部６１は、同じ形状および機能を有するので、以下の説明においては、２つの保持部６１のうちの１つについて説明する。保持部６１は、廃トナー収容部３１を保持するための部分である。保持部６１は、第２方向において、現像ローラ５から離れる方向へ向かって、筐体６から延びる。保持部６１は、略五角形の板形状を有している。保持部６１は、第１方向において、廃トナー収容部３１と重なる。保持部６１は、長穴６１Ａを有する。長穴６１Ａは、第２方向に延びる。また、廃トナー収容部３１は、第１方向に突出するボス６２を有する。ボス６２は、円筒形状を有する。ボス６２は、長穴６１Ａに挿通される。これにより、廃トナー収容部３１は、トナー収容部７に対して、長穴６１Ａが延びる方向に沿って、第２方向に移動可能となる。また、第２方向において、トナー収容部７と廃トナー収容部３１との間には、ばね３５が設けられる。廃トナー収容部３１は、ばね３５によって、第２方向において、トナー収容部７から離れる方向に押圧される。廃トナー収容部３１は、突出部３２と、オーガ３６と、ハンドル３４とを備える。
【００６０】
３．１．１  突出部
突出部３２は、第１方向において、廃トナー収容部３１の外表面３１Ａに位置する。外表面３１Ａは、現像カートリッジ３がドラムカートリッジ２に装着されたときに、第１方向において、第１壁２Ａ（図３参照）と向かい合う。外表面３１Ａは、現像カートリッジ３がドラムカートリッジ２に装着されたときに、第１方向において、第１壁２Ａと間隔を隔てる。突出部３２は、外表面３１Ａから第１方向に突出する。突出部３２は、現像カートリッジ３がドラムカートリッジ２に装着されたときに、第１方向において、外表面３１Ａと第１壁２Ａとの間に位置する。突出部３２は、円筒形状を有する。突出部３２は、受入口３２Ａを有する。また、突出部３２は、第２シャッタ３３を備える。すなわち、現像カートリッジ３は、第２シャッタ３３を備える。
【００６１】
受入口３２Ａは、現像カートリッジ３がドラムカートリッジ２に装着されたときに、搬送管１３内を搬送されたトナーを廃トナー収容部３１内に受け入れるための開口である。受入口３２Ａは、プロセスカートリッジ１が画像形成装置１００に装着されたときに、搬送管１３の排出口１３Ｃ（図９参照）に対して下方に位置する。
【００６２】
第２シャッタ３３は、受入口３２Ａを閉鎖する閉位置（図６参照）と、受入口３２Ａを開放する開位置（図９参照）との間を移動可能である。詳しくは、第２シャッタ３３は、突出部３２に取り付けられる。第２シャッタ３３は、突出部３２の周面を覆う。第２シャッタ３３は、突出部３２について、開位置と閉位置との間を回動可能である。なお、第２シャッタ３３は、ばね３０によって、閉位置に向かって押圧されている。これにより、第２シャッタ３３は、現像カートリッジ３がドラムカートリッジ２から離脱されているときに、閉位置に位置する。第２シャッタ３３は、本体部３３Ａと、第２突起３３Ｂとを備える。
【００６３】
本体部３３Ａは、突出部３２の周面を覆う部分である。本体部３３Ａは、第１方向に延びる。本体部３３Ａは、円筒形状を有する。本体部３３Ａは、第２シャッタ開口３３Ｃを有する。すなわち、第２シャッタ３３は、第２シャッタ開口３３Ｃを有する。第２シャッタ開口３３Ｃは、本体部３３Ａの周面に設けられている。第２シャッタ開口３３Ｃの少なくとも一部は、第２シャッタ３３が開位置に位置するときに、受入口３２Ａと重なる。また、第２シャッタ開口３３Ｃは、第２シャッタ３３が閉位置に位置するときに、受入口３２Ａと重ならない。
【００６４】
第２突起３３Ｂは、現像カートリッジ３がドラムカートリッジ２に装着されるときに、第１シャッタ１９の本体部１９Ａ（図８参照）に接触する突起である。第２突起３３Ｂは、本体部３３Ａの径方向において、本体部３３Ａの周面から突出する。
【００６５】
図８に示すように、現像カートリッジ３がドラムカートリッジ２に装着されるときに、廃トナー収容部３１の突出部３２が、搬送管１３の他端部１３Ｂと、第１ガイド１４Ａとの間に位置する場合、第２突起３３Ｂは、第１シャッタ１９の本体部１９Ａに接触する。このとき、第２シャッタ開口３３Ｃは、第１シャッタ開口１９Ｃと重なる。すなわち、第２突起３３Ｂが第１シャッタ１９に接触した状態で、第１シャッタ開口１９Ｃと第２シャッタ開口３３Ｃとが重なる。
【００６６】
そして、図９に示すように、第２シャッタ３３は、現像カートリッジ３がドラムカートリッジ２に装着されるときに、ドラムカートリッジ２の一部と接触した状態で、閉位置から開位置へ移動する。具体的には、第２シャッタ３３は、現像カートリッジ３がドラムカートリッジ２に装着されるときに、第２突起３３Ｂが第１シャッタ１９の本体部１９Ａに接触した状態で、閉位置から開位置へ移動する。また、第２シャッタ３３は、現像カートリッジ３がドラムカートリッジ２に装着されるときに、第２シャッタ３３がドラムカートリッジ２の一部と接触した状態で、突出部３２がガイド部１４によって案内されることにより、閉位置から開位置へ移動する。詳しくは、現像カートリッジ３がドラムカートリッジ２に装着されるときに、突出部３２および本体部３３Ａは、第２ガイド１４Ｂによって、第２方向において感光ドラム４に近づく方向に案内される。すると、第２シャッタ３３は、第２突起３３Ｂが第１シャッタ１９の本体部１９Ａに接触した状態で、本体部３３Ａが第１シャッタ１９の本体部１９Ａに対して移動することにより、閉位置から開位置へ移動する。これにより、第２シャッタ３３は、現像カートリッジ３がドラムカートリッジ２に装着されたときに、開位置に位置する。また、突出部３２は、現像カートリッジ３がドラムカートリッジ２に装着されたときに、第３方向において、搬送管１３の他端部１３Ｂと、第２ガイド１４Ｂとの間に位置する。また、突出部３２は、現像カートリッジ３がドラムカートリッジ２に装着されたときに、第３方向において、搬送管１３の他端部１３Ｂと、連結壁２Ｃとの間に位置する。
【００６７】
３．１．２  オーガ
図６および図７に示すように、オーガ３６は、突出部３２の内部、および、廃トナー収容部３１の内部に位置する。オーガ３６は、トナーを搬送するように構成される。オーガ３６は、第１方向に延びる。オーガ３６は、プロセスカートリッジ１が画像形成装置１００（図１参照）に装着され、画像形成動作が実行されたときに、回転することにより、突出部３２内のトナーを廃トナー収容部３１に向かって搬送する。
【００６８】
３．１．３  ハンドル
ハンドル３４は、第２方向において、廃トナー収容部３１に対して、トナー収容部７の反対側に位置する。ハンドル３４は、廃トナー収容部３１に取り付けられる。ハンドル３４は、接触部３４Ａを備える。接触部３４Ａは、第１方向に延びる。接触部３４Ａは、円筒形状を有する。接触部３４Ａは、図２に示すように、現像カートリッジ３がドラムカートリッジ２に装着されたときに、ドラムカートリッジ２の第１接触部１６に接触可能な部分である。詳しくは、接触部３４Ａは、現像カートリッジ３がドラムカートリッジ２に装着されたときに、第２方向において、第１接触部１６に対して、トナー収容部７の近くに位置する。接触部３４Ａは、現像カートリッジ３がドラムカートリッジ２に装着されたときに、第２方向において、第１接触部１６に接触する。
【００６９】
３．２  ドラムカートリッジに対する現像カートリッジの装着
図８および図９を参照して、ドラムカートリッジ２に対する現像カートリッジ３の装着について説明する。
【００７０】
ドラムカートリッジ２に現像カートリッジ３を装着されるときには、図８に示すように、まず、現像ローラ５のシャフト５Ａが、一端部１５Ａと他端部１５Ｂとの間において、ローラガイド部１５に接触する。次いで、廃トナー収容部３１の突出部３２が、搬送管１３の他端部１３Ｂと、第１ガイド１４Ａとの間に位置する。
【００７１】
このとき、廃トナー収容部３１の突出部３２は、第１ガイド１４Ａによって、第３方向において、連結壁２Ｃに近づく方向に案内されることにより、搬送管１３の他端部１３Ｂと、第１ガイド１４Ａとの間に位置する。また、このとき、第１シャッタ１９の第１突起１９Ｂと、第２シャッタ３３の本体部３３Ａとが接触し、第２シャッタ３３の第２突起３３Ｂと、第１シャッタ１９の本体部１９Ａとが接触する。また、第１シャッタ開口１９Ｃと、第２シャッタ開口３３Ｃとが重なる。
【００７２】
次いで、図８および図９に示すように、廃トナー収容部３１の突出部３２は、第２ガイド１４Ｂによって、第３方向において連結壁２Ｃに近づく方向から、第２方向において感光ドラム４に近づく方向へ方向転換されつつ、第２方向において感光ドラム４に近づく方向に案内される。
【００７３】
このとき、第１シャッタ開口１９Ｃと第２シャッタ開口３３Ｃとが重なった状態で、第１シャッタ１９が、閉位置から開位置へ向かって移動するとともに、第２シャッタ３３が、閉位置から開位置へ向かって移動する。言い換えると、第１シャッタ１９および第２シャッタ３３は、第１シャッタ開口１９Ｃと第２シャッタ開口３３Ｃとが重なった状態で、閉位置から開位置へ向かって同時に移動する。
【００７４】
また、このとき、現像ローラ５のシャフト５Ａは、ローラガイド部１５によって、第２方向において感光ドラム４に近づく方向に案内される。
【００７５】
そして、図９に示すように、現像ローラ５が感光ドラム４に接触すると、現像カートリッジ３は、第２方向において感光ドラム４に近づく方向への移動を停止する。
【００７６】
その後、廃トナー収容部３１が第２接触部１７に接触するとともに、ハンドル３４の接触部３４Ａが第１接触部１６に接触すると、廃トナー収容部３１がドラムカートリッジ２に対して位置決めされる。
【００７７】
これにより、ドラムカートリッジ２に対する現像カートリッジ３の装着が完了する。
【００７８】
なお、ドラムカートリッジ２から現像カートリッジ３が離脱されるときには、まず、ハンドル３４の接触部３４Ａと第１接触部１６との接触が解除される。
【００７９】
次いで、図８および図９に示すように、廃トナー収容部３１の突出部３２は、第２ガイド１４Ｂによって、第２方向において感光ドラム４から離れる方向に案内されつつ、第２方向において感光ドラム４から離れる方向から、第３方向において連結壁２Ｃから離れる方向へ方向転換される。このとき、現像ローラ５のシャフト５Ａは、ローラガイド部１５によって、第２方向において感光ドラム４から離れる方向に案内される。これにより、現像ローラ５が感光ドラム４から離間する。また、このとき、第１シャッタ開口１９Ｃと第２シャッタ開口３３Ｃとが重なった状態で、第１シャッタ１９が、開位置から閉位置へ向かって移動するとともに、第２シャッタ３３が、開位置から閉位置へ向かって移動する。言い換えると、第１シャッタ１９および第２シャッタ３３は、第１シャッタ開口１９Ｃと第２シャッタ開口３３Ｃとが重なった状態で、開位置から閉位置へ向かって同時に移動する。
【００８０】
その後、現像カートリッジ３がドラムカートリッジ２から引き抜かれると、ドラムカートリッジ２からの現像カートリッジ３の離脱が完了する。
【００８１】
なお、現像カートリッジ３がドラムカートリッジ２から引き抜かれるとき、図８に示すように、廃トナー収容部３１の突出部３２は、第１ガイド１４Ａによって、第３方向において、連結壁２Ｃから離れる方向に案内される。
【００８２】
４．作用効果
プロセスカートリッジ１は、図３および図９に示すように、クリーナ１２によって感光ドラム４の周面から除去されたトナーを、搬送管１３を介して、現像カートリッジ３の廃トナー収容部３１に収容することができる。
【００８３】
そのため、プロセスカートリッジ１は、廃トナー収容部３１を備えつつ、感光ドラム４の近くのスペースが制限される場合であっても、現像カートリッジ３の近くのスペースを利用することができる。また、廃トナー収容部３１を現像カートリッジ３に連結させて、廃トナー収容部３１を現像カートリッジ３と一緒に交換することにより、廃トナー収容部３１の大容量化をしすぎることなく、現像カートリッジ３を大容量化することもできる。
【００８４】
また、図８および図９に示すように、現像カートリッジ３がドラムカートリッジ２に装着されるときに、廃トナー収容部３１の突出部３２は、第１ガイド１４Ａによって、現像ローラ５から感光ドラム４に向かう第２方向とは異なる方向である第３方向に案内された後、第２ガイド１４Ｂによって、感光ドラム４に向かって第２方向に案内される。
【００８５】
これにより、現像カートリッジ３に廃トナー収容部３１が設けられる構成において、廃トナー収容部３１の突出部３２を利用して、現像カートリッジ３をドラムカートリッジ２に円滑に装着することができる。
【００８６】
また、このとき、突出部３２が搬送管１３の他端部１３Ｂを回り込むように他端部１３Ｂと連結壁２Ｃとの間に入り込む。このため、受入口３２Ａは、排出口１３Ｃの下方に位置し、排出口１３Ｃと連通することになる。よって、重力によって、廃トナーが排出口１３Ｃから受入口３２Ａに移動する。
【００８７】
［第２実施形態］
図１０から図１５を参照して、第２実施形態のプロセスカートリッジ４０について説明する。プロセスカートリッジ４０において、プロセスカートリッジ１と同じ部材には、同じ符号を付し、説明を省略する。
【００８８】
図１０に示すように、プロセスカートリッジ４０は、ドラムカートリッジ４１と、現像カートリッジ４２とを備える。現像カートリッジ４２は、ドラムカートリッジ４１に対して着脱可能である。
【００８９】
１．ドラムカートリッジ
図１１に示すように、ドラムカートリッジ４１は、第１シャッタ４３と、バネ５１と、ガイド部４４と、転写ローラ５０とを備える。転写ローラ５０は、感光ドラム４の周面に形成されたトナー像を用紙に転写するように構成される。転写ローラ５０は、感光ドラム４の周面に接触する。
【００９０】
１．１  第１シャッタおよびバネ
第１シャッタ４３は、排出口１３Ｃを閉鎖する閉位置（図１１参照）と、排出口１３Ｃを開放する開位置（図１５参照）との間を移動可能である。第１シャッタ４３は、回動軸Ａ３について、閉位置と開位置との間を回動可能である。回動軸Ａ３は、第２方向において、排出口１３Ｃに対して、ガイド部４４の反対側に位置する。回動軸Ａ３は、第２方向において、排出口１３Ｃと感光ドラム４との間に位置する。第１シャッタ４３は、カバー部４３Ａと、第１突出部４３Ｂとを備える。なお、回動軸Ａ３は、仮想の軸である。より詳細には、回動軸Ａ３は、感光ドラム４が延びる方向に沿って延びる仮想の軸である。
【００９１】
カバー部４３Ａは、第１シャッタ４３が閉位置に位置するときに、排出口１３Ｃを覆う部分である。カバー部４３Ａが排出口１３Ｃを覆うことにより、排出口１３Ｃは、閉鎖される。なお、第２実施形態では、搬送管１３は、シール部材４５を備える。シール部材４５は、搬送管１３の周面に位置する。シール部材４５は、排出口１３Ｃを囲む。シール部材４５は、搬送管１３の周面に接触する。シール部材４５は、接着剤などにより、搬送管１３の周面に固定される。カバー部４３Ａは、シール部材４５に沿って延びる。カバー部４３Ａは、板形状を有する。カバー部４３Ａは、第１シャッタ４３が閉位置に位置するときに、シール部材４５に接触する。
【００９２】
第１突出部４３Ｂは、現像カートリッジ４２がドラムカートリッジ４１に装着されるときに、廃トナー収容部４７の突出部３２（図１４および図１５参照）が接触する部分である。第１突出部４３Ｂは、カバー部４３Ａから突出する。第１突出部４３Ｂは、カバー部４３Ａに対して、回動軸Ａ３の反対側に位置する。
【００９３】
バネ５１は、回動軸Ａ３の周囲に設けられている巻きばねである。バネ５１は、バネ５１の弾性力により、第１シャッタ４３を閉位置へ向かって押圧する。
【００９４】
図１５に示すように、第１シャッタ４３は、現像カートリッジ４２がドラムカートリッジ４１に装着されるときに、現像カートリッジ４２の一部と接触した状態で、閉位置から開位置へ移動する。また、第１シャッタ４３は、現像カートリッジ４２がドラムカートリッジ４１に装着されるときに、第１シャッタ４３が現像カートリッジ４２の一部と接触した状態で、突出部３２がガイド部４４によって案内されることにより、閉位置から開位置へ移動する。詳しくは、図１３に示すように、廃トナー収容部４７の突出部３２は、突出部３２からさらに突出する突出部３２Ｂを有する。現像カートリッジ４２がドラムカートリッジ４１に装着されるときに、突出部３２Ｂは、後述する第２ガイド４４Ｂによって、第２方向において感光ドラム４に近づく方向に案内される。すると、第１シャッタ４３は、第１突出部４３Ｂが突出部３２によって押圧されることにより、閉位置から開位置へ移動する。第１シャッタ４３は、現像カートリッジ４２がドラムカートリッジ４１に装着されたときに、開位置に位置する。
【００９５】
１．２  ガイド部
図１１に示すように、ガイド部４４は、現像カートリッジ４２がドラムカートリッジ４１に装着されるときに、突出部３２Ｂ（図１３参照）を案内するための部分である。ガイド部４４は、第１壁２Ａの内面に位置する。ガイド部４４は、第１壁２Ａの内面から突出する。ガイド部４４は、第１ガイド４４Ａと第２ガイド４４Ｂとを有する。
【００９６】
第１ガイド４４Ａは、第２方向におけるガイド部４４の端面である。第１ガイド４４Ａは、第２方向において、搬送管１３に対して、感光ドラム４の反対側に位置する。第１ガイド４４Ａは、第３方向に延びる。
【００９７】
第２ガイド４４Ｂは、第３方向におけるガイド部４４の端面である。第２ガイド４４Ｂは、第３方向において、第１ガイド４４Ａと連結壁２Ｃとの間に位置する。また、第２ガイド４４Ｂは、第２方向において、第１ガイド４４Ａに対して、感光ドラム４の近くに位置する。第２ガイドは、第２方向に沿って直線状に延びる。
【００９８】
これにより、図１３および図１４に示すように、廃トナー収容部４７の突出部３２は、現像カートリッジ４２がドラムカートリッジ４１に装着されるときに、第１ガイド４４Ａによって、第３方向において連結壁２Ｃに近づく方向に案内された後、第２ガイド４４Ｂによって、第２方向において感光ドラム４に近づく方向に案内される。
【００９９】
２．現像カートリッジ
図１０および図１２に示すように、現像カートリッジ４２は、トナー収容部４６と廃トナー収容部４７とを一体的に備える。廃トナー収容部４７は、トナー収容部４６に対して、固定されている。廃トナー収容部４７は、現像カートリッジ４２がドラムカートリッジ４１に装着されたときに、第３方向において、トナー収容部４６と連結壁２Ｃとの間に位置する。現像カートリッジ４２は、第２シャッタ４８と、バネ５２（図１２参照）とを備える。
【０１００】
また、現像カートリッジ４２は、画像形成装置１００に設けられたバネ１１０により第２方向へ押圧される。バネ１１０は、たとえば、画像形成装置１００のカバー１０４（図１参照）に設けられている。
【０１０１】
２．１  第２シャッタおよびバネ
第２シャッタ４８は、受入口３２Ａを閉じる閉位置（図１２参照）と、受入口３２Ａを開ける開位置（図１５参照）との間を移動可能である。図１２に示すように、第２シャッタ４８は、回動軸Ａ４について、閉位置と開位置との間を回動可能である。回動軸Ａ４は、第２方向において、受入口３２Ａに対して、現像ローラ５の反対側に位置する。第２シャッタ４８は、カバー部４８Ａと、第２突出部４８Ｂとを備える。なお、回動軸Ａ４は、仮想の軸である。より詳細には、回動軸Ａ４は、感光ドラム４が延びる方向に沿って延びる仮想の軸である。
【０１０２】
カバー部４８Ａは、第２シャッタ４８が閉位置に位置するときに、受入口３２Ａを覆う部分である。カバー部４８Ａが受入口３２Ａを覆うことにより、受入口３２Ａは、閉鎖される。なお、第２実施形態では、突出部３２は、シール部材４９を備える。シール部材４９は、突出部３２の周面に位置する。シール部材４９は、受入口３２Ａを囲む。シール部材４９は、突出部３２の周面に接触する。シール部材４９は、接着剤などにより、突出部３２の周面に固定される。カバー部４８Ａは、シール部材４９に沿って延びる。カバー部４８Ａは、板形状を有する。カバー部４８Ａは、第２シャッタ４８が閉位置に位置するときに、シール部材４９に接触する。
【０１０３】
第２突出部４８Ｂは、現像カートリッジ４２がドラムカートリッジ４１に装着されるときに、第１壁２Ａの縁Ｅ（図１３および図１４参照）に接触する部分である。第２突出部４８Ｂは、カバー部４８Ａから突出する。第２突出部４８Ｂは、カバー部４８Ａに対して、回動軸Ａ４の反対側に位置する。第２突出部４８Ｂは、ローラ４８Ｃを備える。ローラ４８Ｃは、第２突出部４８Ｂの先端に位置する。ローラ４８Ｃは、第１方向に延びる。ローラ４８Ｃは、第１方向に延びる軸について回転可能である。
【０１０４】
バネ５２は、回動軸Ａ４の周囲に設けられている巻きばねである。バネ５２は、バネ５２の弾性力により、第２シャッタ４８を閉位置へ向かって押圧する。
【０１０５】
図１３に示すように、現像カートリッジ４２がドラムカートリッジ４１に装着されるときに、第２突出部４８Ｂのローラ４８Ｃは、第１壁２Ａの縁Ｅに接触する。
【０１０６】
そして、図１３および図１４に示すように、第２シャッタ４８は、現像カートリッジ４２がドラムカートリッジ４１に装着されるときに、ドラムカートリッジ４１の一部と接触した状態で、閉位置から開位置へ移動する。また、第２シャッタ４８は、現像カートリッジ４２がドラムカートリッジ４１に装着されるときに、第２シャッタ４８がドラムカートリッジ４１の一部と接触した状態で、突出部３２がガイド部４４によって案内されることにより、閉位置から開位置へ移動する。
【０１０７】
詳しくは、図１３に示すように、現像カートリッジ４２がドラムカートリッジ４１に装着されるときに、突出部３２は、第１ガイド４４Ａによって、第１方向において連結壁２Ｃに近づく方向に案内される。すると、突出部３２は、ローラ４８Ｃが第１壁２Ａの縁Ｅに接触した状態で、第１方向において連結壁２Ｃに近づく方向に移動する。これにより、第２シャッタ４８は、閉位置から開位置へ向かって移動する。
【０１０８】
次いで、図１４に示すように、突出部３２は、第２ガイド４４Ｂによって、第２方向において感光ドラム４に近づく方向に案内される。すると、突出部３２は、ローラ４８Ｃが第１壁２Ａの縁Ｅに接触した状態で、第２方向において感光ドラム４に近づく方向に移動する。これにより、第２シャッタ４８は、閉位置から開位置へ向かって、さらに移動する。第２シャッタ４８は、現像カートリッジ４２がドラムカートリッジ４１に装着されたときに、開位置に位置する。また、突出部３２は、現像カートリッジ４２がドラムカートリッジ４１に装着されたときに、第３方向において、搬送管１３の他端部１３Ｂと、連結壁２Ｃとの間に位置する。
【０１０９】
２．２  ドラムカートリッジに対する現像カートリッジの装着
図１３から図１５を参照して、ドラムカートリッジ４１に対する現像カートリッジ４２の装着について説明する。
【０１１０】
ドラムカートリッジ４１に現像カートリッジ４２を装着されるときには、図１３に示すように、まず、現像ローラ５のシャフト５Ａが、一端部１５Ａと他端部１５Ｂとの間において、ローラガイド部１５に接触する。次いで、ローラ４８Ｃが第１壁２Ａの縁Ｅに接触した状態で、廃トナー収容部４７の突出部３２が、第１ガイド４４Ａによって、第３方向において、連結壁２Ｃに近づく方向に案内される。これにより、第２シャッタ４８は、閉位置から開位置へ向かって移動する。なお、このとき、廃トナー収容部４７の突出部３２は、第１シャッタ４３の第１突出部４３Ｂに接触しておらず、第１シャッタ４３は、閉位置に位置する。
【０１１１】
次いで、図１４に示すように、ローラ４８Ｃが第１壁２Ａの縁Ｅに接触した状態で、廃トナー収容部４７の突出部３２が、第２ガイド４４Ｂによって、第２方向において、感光ドラム４に近づく方向に案内される。これにより、第２シャッタ４８は、さらに、閉位置から開位置へ向かって移動する。また、廃トナー収容部４７の突出部３２は、第１シャッタ４３の第１突出部４３Ｂに接触し、第１シャッタ４３は、閉位置から開位置へ向かって移動する。また、このとき、現像ローラ５のシャフト５Ａは、ローラガイド部１５によって、第２方向において感光ドラム４に近づく方向に案内される。
【０１１２】
そして、図１５に示すように、現像ローラ５が感光ドラム４に接触すると、現像カートリッジ４２は、第２方向において感光ドラム４に近づく方向への移動を停止する。このとき、廃トナー収容部４７の突出部３２は、第３方向において、搬送管１３の他端部１３Ｂと連結壁２Ｃとの間に位置する。また、受入口３２Ａは、第３方向において、排出口１３Ｃと向かい合う。その後、シール部材４５とシール部材４９とが接触する。これにより、受入口３２Ａが排出口１３Ｃとが重なる。言い換えると、受入口３２Ａと排出口１３Ｃとが連通する。
【０１１３】
これにより、ドラムカートリッジ４１に対する現像カートリッジ４２の装着が完了する。また、シール部材４５とシール部材４９との当接面は、第２方向に沿っている。このため、現像カートリッジ３が第２方向に振動しても、シール部材４５とシール部材４９とが弾性変形することにより、受入口３２Ａと排出口１３Ｃとの連通が保たれる。
【０１１４】
なお、ドラムカートリッジ４１から現像カートリッジ４２が離脱されるときには、図１４に示すように、廃トナー収容部３１の突出部３２は、第２ガイド４４Ｂによって、第２方向において感光ドラム４から離れる方向に案内される。なお、このとき、現像ローラ５のシャフト５Ａは、ローラガイド部１５によって、第２方向において感光ドラム４から離れる方向に案内される。これにより、現像ローラ５が感光ドラム４から離間する。また、第１シャッタ４３が、バネ５１の弾性力により、開位置から閉位置へ移動するとともに、第２シャッタ４８が、バネ５２の弾性力により、開位置から閉位置へ移動する。
【０１１５】
その後、図１３に示すように、廃トナー収容部３１の突出部３２は、第１ガイド１４Ａによって、第３方向において、連結壁２Ｃから離れる方向に案内される。また、このとき、廃トナー収容部４７の突出部３２は、第１シャッタ４３の第１突出部４３Ｂから離間しており、第１シャッタ４３は、閉位置に位置する。
【０１１６】
その後、現像カートリッジ３がドラムカートリッジ２から引き抜かれると、ドラムカートリッジ２からの現像カートリッジ３の離脱が完了する。このとき、ローラ４８Ｃが第１壁２Ａの縁Ｅから離間し、第２シャッタ４８は、閉位置に位置する。
【０１１７】
第２実施形態においても、上記した第１実施形態と同様の作用効果を得ることができる。
［変形例］
現像ローラ５は、現像カートリッジ３がドラムカートリッジ２に装着されたときに、感光ドラム４との間に間隔を隔てて近接していてもよい。この場合、現像ローラ５は、適切なスペーサーを用いることで感光ドラム４に近接した現像位置に位置する。また、現像ローラ５が現像位置に位置した状態で、トナーは、現像ローラ５から感光ドラム４へ、静電気的な力により、搬送される。
【符号の説明】
【０１１８】
１      プロセスカートリッジ
２      ドラムカートリッジ
３      現像カートリッジ
４      感光ドラム
５      現像ローラ
５Ａ    シャフト
７      トナー収容部
１２    クリーナ
１３    搬送管
１３Ｃ  排出口
１４    ガイド部
１４Ａ  第１ガイド
１４Ｂ  第２ガイド
１５  ローラガイド部
１５Ａ  一端部
１５Ｂ  他端部
１６    第１接触部
１７    第２接触部
１９    第１シャッタ
１９Ｂ  第１突起
１９Ｃ  第１シャッタ開口
３１    廃トナー収容部
３２    突出部
３２Ａ  受入口
３３    第２シャッタ
３３Ｂ  第２突起
３３Ｃ  第２シャッタ開口
４０    プロセスカートリッジ
４１    ドラムカートリッジ
４２    現像カートリッジ
４３    第１シャッタ
４４    ガイド部
４４Ａ  第１ガイド
４４Ｂ  第２ガイド
４６    トナー収容部
４７    廃トナー収容部
４８    第２シャッタ
Ａ１    第１軸
Ａ２    第２軸
【図１】
2018055066.tif 000003
【図２】
2018055066.tif 000004
【図３】
2018055066.tif 000005
【図４】
2018055066.tif 000006
【図５】
2018055066.tif 000007
【図６】
2018055066.tif 000008
【図７】
2018055066.tif 000009
【図８】
2018055066.tif 000010
【図９】
2018055066.tif 000011
【図１０】
2018055066.tif 000012
【図１１】
2018055066.tif 000013
【図１２】
2018055066.tif 000014
【図１３】
2018055066.tif 000015
【図１４】
2018055066.tif 000016
【図１５】
2018055066.tif 000017